(57)【要約】【課題】  記録された動画像の記録形式を変換する際に変換部分を容易に確認できるようにする。【解決手段】  記録媒体（１１０）に記録される動画像を再生し、変換開始したい位置で再生を一時停止する。制御部（１０７）は、再生一時停止点からシーン終端までの変換後のデータ量（予測値）を算出し、記録先の記録媒体（１１２）に記録できない場合には、変換を終了する。ユーザによる操作部１０８の変換開始の指示に従い、信号処理部（１０３）は、ＧＯＰ単位で動画像を変換先の形式に変換する。変換された動画像は、記録媒体（１１２）に記録可能な範囲で記録される。【選択図】  図１
2011124851.tif 000002
【特許請求の範囲】
【請求項１】
第１の記録媒体から第１の記録形式の動画像信号を再生する再生手段と、
前記再生手段により再生された前記動画像信号を前記第１の記録形式とは異なる第２の記録形式の動画像信号に変換する変換手段と、
前記変換手段により変換された第２の記録形式の動画像信号を第２の記録媒体に記録する記録手段と、
前記再生手段による再生の開始と停止、及び前記変換手段による変換の開始と停止を指示する指示手段と、
前記再生手段による前記動画像信号の再生一時停止状態における変換開始の指示に応じて前記再生手段による前記動画像信号の再生を開始させて前記変換手段による変換処理を開始させ、前記記録手段により前記第２の記録形式の動画像信号の記録を開始させると共に、前記動画像信号の再生中における変換停止の指示に応じて、前記再生手段による前記動画像信号の再生を一時停止させ、前記記録手段により前記第２の記録形式の動画像信号の記録を停止させる制御手段
とを備えることを特徴とする信号処理装置。
【請求項２】
前記第１の記録形式による動画像信号の符号化形式は、前記第２の記録形式による動画像信号の符号化形式とは異なっており、前記変換手段は、前記再生された前記動画像信号の符号化形式を前記第２の記録形式による符号化形式に変換することを特徴とする請求項１に記載の信号処理装置。
【発明の詳細な説明】
【技術分野】
【０００１】
本発明は信号処理装置に関し、特に、動画像の信号処理装置に関する。
【背景技術】
【０００２】
【先行技術文献】
【特許文献】
【０００３】
【特許文献１】特開２００９−０７６１７５号公報
【０００４】
従来、動画や音声をＨＤＤやフラッシュメモリ等の記録媒体に記録する装置が知られている（例えば、特許文献１参照）。また、一旦記録した動画や音声を別の記録媒体に保存する機能を持つものもある。保存先の記録媒体で扱うことができる符号化形式が異なっている場合には、動画や音声をその保存可能形式に変換する必要がある。
【発明の概要】
【発明が解決しようとする課題】
【０００５】
従来は、記録した動画や音声の一部を取り出してその形式を変換する際に変換部分を簡単に確認することができず、不便であった。
【０００６】
本発明はこの様な問題を解決し、記録された動画像の記録形式を変換する際に変換部分を容易に確認できる信号処理装置を提供することを目的とする。
【課題を解決するための手段】
【０００７】
本発明に係る信号処理装置は、第１の記録媒体から第１の記録形式の動画像信号を再生する再生手段と、前記再生手段により再生された前記動画像信号を前記第１の記録形式とは異なる第２の記録形式の動画像信号に変換する変換手段と、前記変換手段により変換された第２の記録形式の動画像信号を第２の記録媒体に記録する記録手段と、前記再生手段による再生の開始と停止、及び前記変換手段による変換の開始と停止を指示する指示手段と、前記再生手段による前記動画像信号の再生一時停止状態における変換開始の指示に応じて前記再生手段による前記動画像信号の再生を開始させて前記変換手段による変換処理を開始させ、前記記録手段により前記第２の記録形式の動画像信号の記録を開始させると共に、前記動画像信号の再生中における変換停止の指示に応じて、前記再生手段による前記動画像信号の再生を一時停止させ、前記記録手段により前記第２の記録形式の動画像信号の記録を停止させる制御手段とを備えることを特徴とする。
【発明の効果】
【０００８】
本発明によれば、簡単に記録された動画像を簡単に別の形式に変換でき、変換部分を容易に確認できる。
【図面の簡単な説明】
【０００９】
【図１】本発明の一実施例であるビデオカメラの概略構成ブロック図である。
【図２】表示画面を示す図である。
【図３】変換処理を示すフローチャートである。
【図４】変換処理の際の表示画面を示す図である。
【図５】変換処理を示すフローチャートである。
【発明を実施するための形態】
【００１０】
以下、図面を参照して、本発明の実施例を詳細に説明する。
【実施例１】
【００１１】
図１は、本発明の一実施例としてのビデオカメラ１００の概略構成ブロック図である。
【００１２】
図１において、撮像部１０１は被写体を撮影し、被写体を示す動画像信号を生成して出力する。撮像部１０１は、ズームレンズやフォーカスレンズ等の光学系、ＣＣＤ等の撮像素子、撮像素子の出力画像信号をデジタル信号に変換するＡＤ変換器、及び、撮影された動画像に必要な処理を施す処理回路等を含む。本実施例では、撮像部１０１は、高精細（ＨＤ方式）の動画像信号を生成する。音声入力部１０２は、ビデオカメラ１００の周囲の音声を取得して、音声信号を出力する。音声入力部１０２は、マイクロフォン、アンプ及びＡＤ変換器等を含み、取得した音声信号をデジタル出力する。
【００１３】
信号処理部１０３は、記録時には、撮影された動画像信号をＨ２６４（ＭＰＥＧ４／ＡＶＣ）方式に従って圧縮符号化し、音声信号をＡＣ３方式に従い圧縮符号化する。また、信号処理部１０３は、再生時には、圧縮符号化された動画像信号及び音声信号を復号化又は伸長する。信号処理部１０３は更に、後述のように、記録媒体１１０、１１２に記録された動画像信号を所定の再生時間の、所定のファイル形式に変換する。信号処理部１０３は、ＭＰＥＧ２方式で動画像信号を符号化、復号化する回路を有する。そして、変換処理の際には、Ｈ．２６４方式で符号化された動画像信号を一旦復号した後、再度、ＭＰＥＧ２方式に従って符号化する。また、ＭＰＥＧ２方式に変換されて記録された動画像信号の再生時においては、このＭＰＥＧ２方式の動画像信号を復号する。表示制御部１０４は、制御部１０７からの指示に従い、動画像及び各種の情報を表示部１０５に表示させる。表示部１０５は、液晶パネル等の公知の表示デバイスからなる。
【００１４】
メモリ１０６は、動画像信号、音声信号、及び後述の様に各種の情報を一時記憶する。制御部１０７は、操作部１０８からの指示に応じてビデオカメラ１００の各部の動作を制御する。操作部１０８は、電源スイッチ、動画像の撮影開始と停止を指示するトリガスイッチ、再生モードへの切り替えスイッチ、及びメニュースイッチ等の各種のスイッチを備える。
【００１５】
記録再生部１０９，１１１はそれぞれ、制御部１０７からの指示に従い、動画像信号、音声信号、及び各種の情報を記録媒体１１０，１１２に記録し、また、記録媒体１１０，１１２から再生する。記録媒体１１０，１１２は、メモリカード又はハードディスク（ＨＤＤ）等のランダムアクセス可能な記録媒体である。記録媒体１１０は、ビデオカメラ１００に内蔵され、記録媒体１１２は不図示の装着排出機構によりビデオカメラ１００に対してユーザが容易に装着及び排出が可能である。記録再生部１１１は、装着された記録媒体１１２を保護するための蓋と、当該蓋が開いている状態か閉じている状態かを検出し、制御部１０７に通知する検出回路を含む。出力部１１３は、撮影中の動画像信号及び音声信号、並びに、再生された動画像信号及び音声信号を外部に出力する。内部バス１１４は、ビデオカメラ１００の各部の間で、各種のデータやコマンドを転送するために用いられる。
【００１６】
本実施例では、ユーザが操作部１０８を操作することにより、二つの記録媒体１１０，１１２のうちの一方を記録先及び再生元として選択できる。記録時には、選択された記録媒体に動画像や音声が記録される。再生時には、選択された記録媒体から動画像や音声が再生される。
【００１７】
ビデオカメラ１００の撮影モードでの基本的な動作を説明する。操作部１０８によりビデオカメラ１００の電源が投入されると、制御部１０７は各部を制御して、撮像部１０１により撮影される被写体の動画像を表示部１０５に表示させ、記録ポーズ状態となる。この状態で、操作部１０８により撮影開始の指示があると、制御部１０７は各部を制御し、動画像信号と音声信号の記録を開始する。撮像部１０１と音声入力部１０２は、制御部１０７からの指示に従い、動画像信号と音声信号をそれぞれ、内部バス１１４を介してメモリ１０６に格納する。
【００１８】
信号処理部１０３は、メモリ１０６に記憶された動画像信号と音声信号を圧縮符号化し、圧縮データ（圧縮動画像データと圧縮音声データ）をメモリ１０６に書き戻す。記録先に選択された記録媒体１１０又は１１２に対応する記録再生部１０９又は１１１が、制御部１０７からの指示に従い、メモリ１０６の圧縮データを読み出し、所定のファイル形式で記録媒体１１０又は１１２に記録する。
【００１９】
記録再生部１０９，１１１は、圧縮動画像データと圧縮音声データを、所定のファイルシステムに従い動画ファイルとして管理する。撮影開始の指示から撮影停止の指示までの間に記録された一連のシーンの動画像信号と音声信号を一つのファイルとして管理する。制御部１０７は、記録媒体１１０，１１２に記録された各動画ファイルの記録位置と各種の付加情報を含む管理情報ファイルを作成し、記録媒体１１０，１１２に記録する。
【００２０】
制御部１０７は、操作部１０８により撮影停止の指示があると、記録再生部１０９，１１１を制御し、記録媒体１１０，１１２への動画像信号と音声信号の記録を停止する。
【００２１】
再生モードの動作を説明する。例えば、再生元として記録媒体１１０が選択されているとする。操作部１０８により再生モードへの切り替え指示があると、制御部１０７は、再生元に選択された記録媒体１１０に対応する記録再生部１０９を制御して、記録媒体１１０から管理ファイルを再生し、メモリ１０６に記憶する。メモリ１０６に記憶された管理ファイルに基づいて、制御部１０７は、記録媒体１１０に記録された各動画ファイルに含まれる動画像信号の先頭部分（先頭画像）を記録媒体１１０から読み出す。そして、信号処理部１０３は、読み出された先頭画像の圧縮データを伸長し、表示制御部１０４に供給する。表示制御部１０４は、信号処理部１０３からの先頭画像データのサイズを縮小して当該シーンの代表画像（サムネイル画像）を生成する。表示制御部１０４は、所定数の代表画像からなるインデックス画面を生成して表示部１０５に表示する。
【００２２】
図２（ａ）は、再生モードに切り替えた時に表示されるインデックス画面の様子を示す図である。図２（ａ）のインデックス画面２０１には、４シーンの代表画像２０１ａ〜２０１ｄが表示されているが、本実施例では、一つのインデックス画面に６シーンの代表画像を表示可能である。インデックス画面２０１には、インデックス画面であることを示す情報２０２と、再生したいシーンをユーザが選択するためのカーソル２０３が、表示される。ユーザは操作部１０８を操作してカーソル２０３を移動することで、インデックス画面２０１に表示される各シーンの代表画像のうち、再生したいシーンを選択し、再生を指示する。
【００２３】
制御部１０７は、再生が指示されると、選択された代表画像に対応した動画ファイルを再生するように、再生元に選択された記録媒体１１０に対応する記録再生部１０９を制御する。記録再生部１０９は、指定された動画ファイルの圧縮データを再生元に選択された記録媒体１１０から読み出し、メモリ１０６に記憶する。信号処理部１０３はメモリ１０６から圧縮動画データと圧縮音声データを読み出して伸長し、得られた再生データをメモリ１０６に記憶する。表示制御部１０４はメモリ１０６の再生画像データを読み出して表示部１０５に供給する。これにより再生画像が表示される。また、再生音声データは、不図示のスピーカからアナログ出力される。
【００２４】
図２（ｂ）は再生中の表示画面２０４を示している。再生画面２０４において、再生中を示す情報２０５と、再生中の動画像の先頭からの経過時間と動画の番号、及び再生中を示すアイコンの情報２０６が表示される。
【００２５】
再生停止の指示があると、制御部１０７は、記録再生部１０９による動画ファイルの再生を停止し、再び、インデックス画面２０１を表示部１０５に表示させる。
【００２６】
また、動画像の再生中にユーザが操作部１０８を操作し、再生の一時停止を指示すると、制御部１０７は記録再生部１０９を制御して、記録媒体１１０からの動画像の再生を一時停止する。そして、再生を一時停止した位置の画面を静止画として表示部１０５に表示するように、各部を制御する。図２（ｃ）は、再生一時停止の指示があったときの表示画面２０７の一例を示す。再生一時停止画面２０７では、再生一時停止中を示す情報２０８と、再生中の動画像の先頭からの経過時間と動画の番号、及び再生一時停止中を示すアイコンの情報２０９が表示される。
【００２７】
本実施例の変換処理を説明する。動画像の再生一時停止状態においてユーザが操作部１０８を操作して動画像の変換を指示すると、現在の再生停止位置から動画像の形式を所定形式に変換する。変換前の記録形式は、ＡＶＣＨＤ等であり、変換後の記録形式は、例えば、ＤＶＤ等の外部の記録媒体に記憶保存するために適した形式であり、事前に指定又は選択される。
【００２８】
図３は、変換処理を示すフローチャートである。制御部１０７が、図３に従い各部を制御する。変換後の動画像は、変換対象と同じ記録媒体に記録しても、異なる記録媒体に記録しても良い。以下の説明では、変換対象の動画像が記録媒体１１０（第１の記録媒体）に記録されており、変換後の動画像を記録媒体１１２（第２の記録媒体）に記録するとする。
【００２９】
図２（ｃ）に示す再生一時停止状態でユーザが操作部１０８を操作することにより、制御部１０７は、図３に示すフローを開始する。まず、記録先の記録媒体１１０の状態を確認する（Ｓ３０１）。変換後の動画像信号の記録媒体１１２への記録可能性をチェックする（Ｓ３０２）。具体的には、動画像の撮影時における記録形式（フォーマット）を第１の記録形式とし、変換後の動画像信号の記録形式を第２の記録形式として、以下の７条件を調べる。
（条件１）記録可能残量が所定値以上である。
（条件２）記録されている動画像のシーン（動画ファイルの数）が、記録フォーマットで既定されたシーン数の上限未満である。
（条件３）ファイルフォーマットが正しい。
（条件４）ファイルシステムが正しい。
（条件５）既に記録されている動画像の放送方式が、ビデオカメラ１００により記録される動画像の放送方式と一致している。
（条件６）プロテクトがかかっていない。
（条件７）書き込み速度が所定の速度以上である。
【００３０】
条件１については、記録残量が０或いは０に近い所定値よりも多いかどうかを判別する。条件２については、記録フォーマットによっては一つの記録媒体に記録可能なシーンの上限が決まっているので、これをチェックする。すなわち、記録先の記録媒体１１２に記録されているシーン数を検出し、第２の記録形式でシーン数上限に達していないかどうかを判別する。条件３については、記録先の記録媒体１１２のファイルフォーマットが第２の記録形式で規定されたファイルフォーマットであるかどうかを検出する。条件４については、記録先の記録媒体１１２のファイルシステムが、ビデオカメラ１００で扱うことができるものかどうかを判別する。
【００３１】
条件５については、記録先の記録媒体１１２に対して、既に第２の記録形式で動画像信号が記録されているかどうかを検出する。そして、既存の記録がある場合、記録済みの動画像信号の放送方式が、ビデオカメラ１００により記録する動画像信号の放送方式と同じであるかどうかを検出する。本実施例では、放送方式が異なる動画像信号を一つの記録媒体に記録しないように規定してある。ビデオカメラ１００はがＮＴＳＣ方式の動画像信号を記録する場合、記録先の記録媒体１１２にＮＴＳＣ方式以外の放送方式、例えば、ＰＡＬ方式の動画像が第２の記録形式で記録されていないかどうかを判別する。条件６については、記録先の記録媒体１１２に対してデータの書き込みができないようにプロテクト設定されているかどうかを判別する。
【００３２】
更に、記録先の記録媒体１１２が適切に装着されているかどうか、および、蓋が閉じた状態であるかということも判別する。
【００３３】
なお、これらの各条件については、制御部１０７が、記録再生部１０９，１１１に対して問い合わせを行い、各記録再生部１０９，１１１からの応答に従って判別する。
【００３４】
記録先の記録媒体１１２に変換後の動画像信号を記録できない場合（Ｓ３０２）、その旨を示す警告画面を表示部１０５に表示し（Ｓ３１４）、再生一時停止画面を表示部１０５に表示して（Ｓ３１５）、処理を終了する。
【００３５】
条件１〜条件７を全て満たすと、更に、再生一時停止位置からシーン終端までの期間の動画像信号を第２の記録形式に変換した際のデータ量の予測値を算出する。本実施例では、撮影時に記録された動画像信号の符号化形式を、ＤＶＤビデオの符号化方式であるＭＰＥＧ２に変換して記録するものとする。また、音声信号については、ＡＣ３方式のまま変換しない。ここでは、変換後の動画像信号のデータレート（ビットレート）を所定値と仮定して、データ量を算出する。そして、算出データ量と記録先の記録媒体の残容量とを比較し、シーン終端まで変換した際の動画像信号を記録媒体１１２に記録できるかどうかを判別する（Ｓ３０３）。
【００３６】
記録媒体１１２の残容量が算出データ量よりも少ない場合（Ｓ３０３）、記録先の残容量が少なく、変換処理ができない旨の警告画面を表示し（Ｓ３１６）、再生一時停止画面を表示部１０５に表示して（Ｓ３１５）、処理を終了する。
【００３７】
記録媒体１１２の残容量が算出データ量以上の場合（Ｓ３０３）、変換準備画面を生成し、表示部１０５に表示する（Ｓ３０４）。図４（ａ）は、変換準備画面４０１の例を示す。変換準備画面４０１には、現在、再生一時停止状態であるシーンの情報４０２がコピー元情報として表示され、記録先の記録媒体１１２の情報４０３がコピー先情報として表示される。図示例では、変換元のシーンの番号が００２であり、再生一時停止位置から終端までが２分４６秒である旨が示されている。記録媒体１１２の残容量が１００メガバイト（ＭＢ）であり、変換後の動画像信号を記録するのに必要な容量が７４．４ＭＢであることが示されている。設定済みの変換設定情報４０４が表示される。ここでは、変換後の動画像信号のデータレートが３Ｍｂｐｓ（メガビット／秒）であり、変換時に撮影日の情報を文字情報として映像に多重することを示している。更に、操作ボタン４０５が表示される。
【００３８】
ユーザは変換準備画面４０１を確認し、操作部１０８を操作することにより操作ボタン４０５を移動し、この状態で変換処理を行うか、キャンセルするか、設定を変更するかを制御部１０７に指示できる。
【００３９】
条件の変更指示があると、図４（ｂ）に示した条件設定の変更画面４０６を表示部１０５に表示する。変更画面４０６において、データレートの設定情報４０７と、日付情報の設定情報４０８が表示される。本実施例では、変換後の動画像信号のデータレートとして、９Ｍｂｐｓ又は３Ｍｂｐｓを設定できる。ユーザは操作部１０８を操作することにより、何れかのレートを選択する。また、変換後の動画像信号に撮影時の日付を多重するかどうかを選択できる。
【００４０】
この様に、変更画面４０６によりデータレートが変更されると（Ｓ３０６）、変換後の動画像信号の目標データレートを変更し、再度、変換後のデー量（予測値）を算出する（Ｓ３０６）。そして、記録媒体１１２の残容量と算出データ量とを比較し、記録できるかどうかを判別する（Ｓ３０７）。記録媒体１１２の残容量が算出データ量よりも少ない場合（Ｓ３０７）、容量不足である旨の情報をメモリ１０６に記憶しておく（Ｓ３０８）。
【００４１】
条件変更指示が無い場合（Ｓ３０５）、又は、変更画面４０６による変更処理が完了した場合、キャンセルの指示の有無を判別する（Ｓ３０９）。キャンセル指示があると（Ｓ３０９）、再生一時停止画面を表示部１０５に表示し（Ｓ３１５）、処理を終了する。
【００４２】
キャンセル指示が無い場合（Ｓ３０９）、変換開始の指示の有無を判別する（Ｓ３１０）。変換開始の指示が無い場合（Ｓ３１０）、Ｓ３０４に戻る。変換開始の指示があると（Ｓ３１０）、記録媒体１１２の容量が不足しておらず、変換処理が可能か否かを判別し（Ｓ３１１）、変換可能な場合には変換処理を実行する（Ｓ３１２）。また、記録媒体１１２の容量不足により変換処理ができない場合には（Ｓ３１１）、その旨の警告画面を表示し（Ｓ３１３）、Ｓ３０４に戻る。
【００４３】
図５は、変換処理（ステップＳ３１２）の詳細なフローチャートである。変換処理を開始すると、まず、記録媒体１１０から、変換元の動画像信号の圧縮動画像データを、再生一時停止位置から再生する（Ｓ５０１）。この際、本実施例では、圧縮動画像データを復号処理に適した単位で再生し、メモリ１０６に記憶する。例えば、Ｈ．２６４方式とＭＰＥＧ２方式は何れも、ＧＯＰ（Group Of Pictures）と呼ばれる単位で符号化復号化を行うので、これを単位とする。ＧＯＰは、フレーム内符号化された１フレーム（Ｉフレーム）と、所定数のフレーム間予測符号化されたフレーム（Ｐ，Ｂフレーム）からなる。
【００４４】
信号処理部１０３は、メモリ１０６に記憶された圧縮動画像データを復号し、再生動画像データをメモリ１０６に記憶する。そして、再生動画像データを使い変換処理画面を生成し、表示部１０５に表示する。図４（ｃ）は、変換処理画面４０９を示す。変換処理画面４０９には、シーン終端までの残りの時間を示すプログレスバー４１０と、再生された動画像の縮小画面４１１を表示する。ユーザは、縮小画面４１１を見ることで、現在変換中の動画像の位置を確認できる。そして、所望の位置で変換の停止を指示できる。
【００４５】
この様に、変換対象の動画像信号の再生を開始した後、記録先の記録媒体１１２に記録継続可能かどうかを判別する（Ｓ５０３）。具体的には、変換処理中に蓋が開く、又は、正常にデータの記録ができない状態となる等を検出する。記録エラーを検出すると（Ｓ５０３）、その旨の警告画面を表示する（Ｓ５１４）。そして、変換処理を終了し（Ｓ５１５）、図２（ａ）に示すインデックス画面を表示部１０５に表示する（Ｓ５１６）。なお、本実施例では、記録エラー又は再生エラーで変換処理を停止した場合、その時点までに第２の記録形式に変換され、記録媒体１１２に記録された動画像信号は、そのまま記録先の記録媒体１１２に保持する。
【００４６】
記録先でエラーがない場合（Ｓ５０３）、再生側でのエラーの有無を判別する（Ｓ５０４）。再生側でエラーがあると（Ｓ５０４）、その旨の警告画面を表示する（Ｓ５１７）。そして、変換処理を終了し（Ｓ５１５）、図２（ａ）に示すインデックス画面を表示部１０５に表示する（Ｓ５１６）。
【００４７】
再生エラーも無い場合（Ｓ５０４）、メモリ１０６に記憶された再生動画像データを第２の記録形式（ここではＭＰＥＧ方式）に従って符号化し、再度、メモリ１０６に記憶する（Ｓ５０５）。この際、ＧＯＰを１単位としてＭＰＥＧ方式で符号化する。本実施例では、撮影時には高精細（ＨＤ）の動画像信号を記録しているが、１フレームの画素数（画面サイズ）を縮小した上で、ＭＰＥＧ２方式により符号化する。
【００４８】
一方、選択されたシーンの動画ファイルに含まれる音声信号についても、一旦メモリ１０６に記憶される（Ｓ５０５）。そして、動画像信号の変換処理に合わせてメモリ１０６から読み出され、ＭＰＥＧ２方式に変換された動画像信号と共に、一つの動画ファイルとして記録媒体１１０に一時記録される。本実施例では、音声信号をＡＣ３方式に従って符号化して記録しているが、変換処理の際には、音声信号については符号化形式を変換せずに記録する。
【００４９】
そして、記録先の記録媒体１１２の残容量が、Ｓ５０５で変換された単位分の動画像信号のデータ量以上であるかどうかを判別する（Ｓ５０６）。記録先の記録媒体１１２の残容量が変換後の１単位分のデータ量よりも少ない場合（Ｓ５０６）、変換元の動画像信号の再生を停止し（Ｓ５１８）、容量不足の警告画面を表示する（Ｓ５１９）。そして、変換処理を停止し（Ｓ５１１）、図４（ｄ）に示す変換終了画面４１２を表示部１０５に表示する（Ｓ５１２）。そして、ユーザによる確認ボタン操作の後、再生停止位置の画像を、再生一時停止画面として表示部１０５に表示する（Ｓ５１３）。
【００５０】
容量不足で無かった場合（Ｓ５０６）、変換された１単位分の動画像信号をメモリ１０６から読み出し、記録先の記録媒体１１２に音声信号と共に一つの動画ファイルとして記録する（Ｓ５０７）。このとき、変換された動画像信号と音声信号とが一つの動画ファイルとして記録される。また、変換処理によって記録された動画ファイルであることを示す識別情報が共に記録される。そして、シーンの終端まで再生したかどうかを判別する（Ｓ５０８）。シーン終端まで再生していない場合には（Ｓ５０８）、変換停止の指示があったかどうかを判別する（Ｓ５０９）。変換停止の指示がない場合には、ステップＳ５０１に戻って処理を続ける。
【００５１】
シーン終端まで再生した場合（Ｓ５０８）、または、変換停止の指示があった場合（Ｓ５０９）、動画像の再生を停止し（Ｓ５１０）、変換処理を停止する（Ｓ５１１）。そして、終了画面４１２を表示部１０５に表示した後（Ｓ５１２）、再生停止位置の画像を、再生一時停止画面として表示部１０５に表示する（Ｓ５１３）。なお、ステップＳ５０８でシーン終端まで再生して停止した場合には、シーン終端の画面を再生一時停止画面として表示する。
【００５２】
この様に、本実施例では、動画像の再生一時停止状態において、変換指示があると、再生一時位置以降の動画像信号を、その記録形式を変換して別に記録する。そして、シーンの終端に到達するか、ユーザによる変換停止の指示に応じて、動画像の再生と変換処理を停止して、再生停止位置の画像を表示する。このような構成により、ユーザは、再生された動画像を確認しながら、変換処理の開始位置と停止位置を容易に確認し、指示できる。また、変換停止後は、再び再生一時停止状態となるので、ユーザは、再度早送りや巻き戻しにより、次に変換処理を開始する位置を簡単に確認し、指定することができる。
【００５３】
そして、変換された動画ファイルが記録された記録媒体１１２をビデオカメラから取り出してＰＣ等に装着することにより、この変換された動画ファイルをＤＶＤやネットワーク上のサーバに送信、保存することができる。また、変換された動画ファイルが内蔵の記録媒体１１０に記録されている場合には、変換された動画ファイルを記録媒体１１０から読み出して記録媒体１１２にコピーする。その後、記録媒体１１２を取り外してＰＣ等に装着し、転送先に転送し、保存する。
【００５４】
また、変換処理により変換されて記録媒体に記録された動画ファイルも再生することができる。このとき、本実施例では、撮影モードで記録された動画ファイルのインデックス画面とは別に、変換処理によって記録された動画ファイルのインデックス画面を生成する。そして、ユーザの指示によって、これら二つのインデックス画面を切り替えて表示部１０５に表示する。ユーザは、変換されて記録された動画ファイルについても、インデックス画面から所望の動画ファイルを選択して、再生を指示することができる。変換処理によって記録された動画像信号は、前記の様に、ＭＰＥＧ２方式で符号化されているので、信号処理部１０３は、再生された動画像信号をＭＰＥＧ２方式に従って復号する。
【００５５】
上記実施例では、変換処理中に記録先又は再生元の記録媒体に異常があった場合に変換処理を停止していたが、例えば、ビデオカメラの電源がオフになる、又は撮影モードへの切り替え指示がある等の際に、変換処理を停止してもよい。また、変換処理中に早送り等、通常の再生以外の指示があったときにも、変換処理を停止するようにしてもよい。
【００５６】
また、本実施例では、変換処理によって記録された動画ファイルの再生一時停止中には、ユーザによる変換指示を受け付けない様に制御している。
【図１】
2011124851.tif 000003
【図２】
2011124851.tif 000004
【図３】
2011124851.tif 000005
【図４】
2011124851.tif 000006
【図５】
2011124851.tif 000007